(57)【特許請求の範囲】
【請求項１】
顧客に手渡して来店時に持参させるための、複数種のランクそれぞれを目で見て区別できるデザインであり、かつ前記複数種のランクそれぞれを表す２次元コードが印刷されたランク別サービスカードを利用する飲食店利用促進システムであって、
顧客ごとのＩＤ、パスワード、メールアドレス、ランク種を記憶する顧客情報管理部と、
インターネットを通じてアクセスしてきた携帯端末に対して、ＩＤ及びパスワードによってユーザー認証を実施するユーザー認証処理部と、
複数種のランクごとに用意された来店お誘いメッセージを記憶する来店お誘いメッセージ記憶部と、
前記複数種のランクごとに用意されたソーシャルメディアクーポンを記憶するソーシャルメディアクーポン管理部と、
前記顧客の携帯端末から送られてくるＩＤ、パスワード及び前記ランク別サービスカードに印刷されている前記２次元コードを読み取って得た読み取りデータを受信し、当該ＩＤ及びパスワードにて顧客を特定すると共に前記２次元コードの読み取りデータから当該顧客に対するランク種を特定し前記顧客情報管理部に登録する顧客ランク登録部と、
前記ランク別サービスカードを受け取った客が当該ランク別サービスカードの前記２次元コードを前記顧客の携帯端末にて読み取ることにより、リンク先であるメールサーバーのサイトに接続し、前記顧客の既登録のＩＤとメールアドレスの入力欄と共に該当ランクの特典をゲットする意思確認ボタンを表示する画面を当該携帯端末に表示させるランク別特典ゲット用画面表示部と、
前記顧客が前記携帯端末の前記該当ランクの特典をゲットする意思確認ボタンを表示する画面から前記顧客のＩＤとメールアドレスを入力し、前記意思確認ボタンをタッチした時に当該ＩＤ、メールアドレス及びランク別の特典ゲット要求を受信して前記ＩＤ、メールアドレスを確認し、真正である時に当該メールアドレスに対して暗号キーワードを送信する暗号キーワード送信部と、
前記顧客が前記受信した暗号キーワードを入力して送信することにより、該当ランクの特典ゲット確認用画面を前記携帯端末に送信して表示させる特典ゲット確認用画面送信部と、
前記該当ランクの特典ゲット確認用画面の中のランク別特典ゲット確認ボタンに対するタッチ操作入力により当該ランク別特典ゲットの確認信号を当該顧客のＩＤと共に受信し、該当する顧客のＩＤに対してランク別特典ゲット済みを登録するランク別特典ゲット確認部と、
前記顧客ごとに登録されているＩＤ宛てに当該ＩＤのランク種に対応した内容のソーシャルメディアクーポンを前記ソーシャルメディアクーポン管理部から読み出して送信するソーシャルメディアクーポン発行部と、
前記顧客ごとに前記ＩＤと対応して登録されているメールアドレス宛てに、周期的に当該ＩＤのランク種に対応した内容の来店お誘いメッセージを前記来店お誘いメッセージ記憶部から読み出して送信する来店お誘いメッセージ送信部とを備えて成る飲食店利用促進システム。
【請求項２】
前記来店お誘いメッセージは、内容が異なる複数種を用意し、最新のランク種の登録からの経過時間に応じて異なる内容の来店を促すメッセージを選択して送信することを特徴とする請求項１に記載の飲食店利用促進システム。
【請求項３】
顧客に手渡して来店時に持参させるための、複数種のランクそれぞれを目で見て区別できるデザインであり、かつ前記複数種のランクそれぞれを表す２次元コードが印刷されたランク別サービスカードを利用する飲食店利用促進方法であって、
インターネットを通じてアクセスしてきた顧客の携帯端末からＩＤ、パスワード、メールアドレスの送信を受けて登録する顧客情報登録ステップと、
前記インターネットを通じてアクセスしてきた携帯端末に対して、ＩＤ及びパスワードによって顧客認証を実施する顧客認証ステップと、
前記携帯端末から前記ＩＤ、パスワードと共に送られて来る前記ランク別サービスカードに印刷されている前記２次元コードを読み取って得た読み取りデータを受信し、前記２次元コードの読み取りデータからランク種を特定し、当該ＩＤと共に登録する顧客ランク登録ステップと、
前記ランク別サービスカードを受け取った客が当該ランク別サービスカードの前記２次元コードを前記顧客の携帯端末にて読み取ることにより、リンク先であるメールサーバーのサイトに接続し、前記顧客の既登録のＩＤとメールアドレスの入力欄と共に該当ランクの特典をゲットする意思確認ボタンを表示する画面を当該携帯端末に表示させるランク別特典ゲット用画面表示ステップと、
前記顧客が前記携帯端末の前記ランクの特典をゲットする意思確認ボタンを表示する画面から前記顧客のＩＤとメールアドレスを入力し、前記意思確認ボタンをタッチした時に当該ＩＤ、メールアドレス及びランク別の特典ゲット要求を受信して前記ＩＤ、メールアドレスを確認し、真正である時に当該メールアドレスに対して暗号キーワードを送信する暗号キーワード送信ステップと、
前記顧客が前記受信した暗号キーワードを入力して送信することにより、該当ランクの特典ゲット確認用画面を前記携帯端末に送信して表示させる特典ゲット確認用画面送信ステップと、
前記該当ランクの特典ゲット確認用画面の中のランク別特典ゲット確認ボタンに対するタッチ操作入力により当該ランク別特典ゲットの確認信号を当該顧客のＩＤと共に受信し、該当する顧客のＩＤに対してランク別特典ゲット済みを登録するランク別特典ゲット確認ステップと、
前記顧客ごとに登録されているＩＤ宛てに当該ＩＤのランク種に対応した内容のソーシャルメディアクーポンを送信するソーシャルメディアクーポン発行ステップと、
前記顧客ごとに前記ＩＤと対応して登録されているメールアドレス宛てに、周期的に当該ＩＤのランク種に対応した内容の来店お誘いメッセージを送信する来店お誘いメッセージ送信ステップとを実施することを特徴とする飲食店利用促進方法。
【請求項４】
前記来店お誘いメッセージは、内容が異なる複数種を用意し、最新のランク種の登録からの経過時間に応じて異なる内容の来店を促すメッセージを選択して送信することを特徴とする請求項３に記載の飲食店利用促進方法。
【請求項５】
顧客に手渡して来店時に持参させるための、複数種のランクそれぞれを目で見て区別できるデザインであり、かつ前記複数種のランクそれぞれを表す２次元コードが印刷されたランク別サービスカードを利用する、コンピュータシステムにより実行する飲食店利用促進プログラムであって、
インターネットを通じてアクセスしてきた顧客の携帯端末からＩＤ、パスワード、メールアドレスの送信を受けて登録する顧客情報登録ステップと、
前記インターネットを通じてアクセスしてきた携帯端末に対して、ＩＤ及びパスワードによって顧客認証を実施する顧客認証ステップと、
前記携帯端末から前記ＩＤ、パスワードと共に送られて来る前記ランク別サービスカードに印刷されている前記２次元コードを読み取って得た読み取りデータを受信し、前記２次元コードの読み取りデータからランク種を特定し、当該ＩＤと共に登録する顧客ランク登録ステップと、
前記ランク別サービスカードを受け取った客が当該ランク別サービスカードの前記２次元コードを前記顧客の携帯端末にて読み取ることにより、リンク先であるメールサーバーのサイトに接続し、前記顧客の既登録のＩＤとメールアドレスの入力欄と共に該当ランクの特典をゲットする意思確認ボタンを表示する画面を当該携帯端末に表示させるランク別特典ゲット用画面表示ステップと、
前記顧客が前記携帯端末の前記ランクの特典をゲットする意思確認ボタンを表示する画面から前記顧客のＩＤとメールアドレスを入力し、前記意思確認ボタンをタッチした時に当該ＩＤ、メールアドレス及びランク別の特典ゲット要求を受信して前記ＩＤ、メールアドレスを確認し、真正である時に当該メールアドレスに対して暗号キーワードを送信する暗号キーワード送信ステップと、
前記顧客が前記受信した暗号キーワードを入力して送信することにより、該当ランクの特典ゲット確認用画面を前記携帯端末に送信して表示させる特典ゲット確認用画面送信ステップと、
前記該当ランクの特典ゲット確認用画面の中のランク別特典ゲット確認ボタンに対するタッチ操作入力により当該ランク別特典ゲットの確認信号を当該顧客のＩＤと共に受信し、該当する顧客のＩＤに対してランク別特典ゲット済みを登録するランク別特典ゲット確認ステップと、
前記顧客ごとに登録されているＩＤ宛てに当該ＩＤのランク種に対応した内容のソーシャルメディアクーポンを送信するソーシャルメディアクーポン発行ステップと、
前記顧客ごとに前記ＩＤと対応して登録されているメールアドレス宛てに、周期的に当該ＩＤのランク種に対応した内容の来店お誘いメッセージを送信する来店お誘いメッセージ送信ステップとを有する飲食店利用促進プログラム。
【請求項６】
前記来店お誘いメッセージは、内容が異なる複数種を用意し、最新のランク種の登録からの経過時間に応じて異なる内容の来店を促すメッセージを選択して送信することを特徴とする請求項５に記載の飲食店利用促進プログラム。
【発明の詳細な説明】
【技術分野】
【０００１】
本発明は、飲食店に対して顧客の再来店を効果的に促すことができ、固定客を増やすことができる飲食店利用促進システム、方法及びプログラムに関する。
【背景技術】
【０００２】
飲食店業界では、その運営を安定させるためには多くの客が繰り返し来店し固定客になってくれることが欠かせない。そして固定客を増やすためにサービスカードを発行し、客の飲食代金に応じて、また来店回数に応じてカードにスタンプを押し、スタンプ数が所定個数に達すると何パーセント割引とか何百円割引とか、あるいはこれこれの飲み物や食べ物を無料提供するといったサービス形態をとる飲食店は多い。
【０００３】
しかしながらそのようなサービス形態も固定客を飛躍的に増やすという点では効果的ではない。それはスタンプを押すマス目の個数が多く、スタンプがあまり溜まらないので客が途中で再来店をあきらめてしまうケースが多いからである。
【０００４】
また近年、インターネット上で会員登録することによって商品割引やサービス提供のクーポンを発行する店も多く出てきている。これらは１回の来店で何円引きとか何パーセント引きとかのサービスを提供するが、一見客にも固定客にも同じ割引サービスを提供するだけであり、最初に来店した客や何度か来店した客に対してその次の来店時には最初のサービスとは違ったサービスが受けられるようにするサービス提供の形態をとっているものは見られない。
【０００５】
ところで、客の来店回数によってランクが上がり、特別なサービスが次々と受けられるようにすれば客の再来店を効果的に促すことができる。ところが、多数の客各人にその来店回数をカウントするということは店側の人員にとっては調理や給仕という本来の労働とは異種のコンピュータ操作という労力負担が多くかかり、好ましいものではなく敬遠されがちである。
【０００６】
そこで客にバーコードや二次元コードを印刷したサービスカードを手渡し、客ごとに手渡したサービスカードの番号で識別し、センターで来店回数を管理し、来店数が一定回数に達すると特別なサービスを提供するということも考えられるが、それでは来店客に料金支払時に都度に持参させた同じサービスカードの提供を要求することになって負担をかけるものであり、これも受け入れられがたい。
【先行技術文献】
【特許文献】
【０００７】
【特許文献１】特許第４８９３２７６号公報
【特許文献２】特許第５０７２４２８号公報
【特許文献３】特許第５９９７８２３号公報
【特許文献４】特許第６１４０２１１号公報
【特許文献５】特許第６１８３７５５号公報
【発明の概要】
【発明が解決しようとする課題】
【０００８】
本発明は上記従来技術の問題点に鑑みてなされたもので、客にもう一度行けばランクアップし、ランク別に用意された特別なサービスを受けられるという再来店の動機を与えることができ、しかも来店回数に応じて次々にランクアップするランク別に用意されたカードを受け取ることで、客自身に来店回数に応じてランクアップしたランク別カードを受け取りたいとの動機を誘い、さらに来店回数を増やして固定客になればさらに大きなサービスが受けられるという再来店動機も誘い、固定客を増やすことができる飲食店利用促進システム、方法及びプログラムを提供することを目的とする。
【課題を解決するための手段】
【０００９】
本発明は、顧客に手渡して来店時に持参させるための、複数種のランクそれぞれを目で見て区別できるデザインであり、かつ前記複数種のランクそれぞれを表す２次元コードが印刷されたランク別サービスカードを利用する飲食店利用促進システムであって、顧客ごとのＩＤ、パスワード、メールアドレス、ランク種を記憶する顧客情報管理部と、インターネットを通じてアクセスしてきた携帯端末に対して、ＩＤ及びパスワードによってユーザー認証を実施するユーザー認証処理部と、複数種のランクごとに用意された来店お誘いメッセージを記憶する来店お誘いメッセージ記憶部と、前記複数種のランクごとに用意されたソーシャルメディアクーポンを記憶するソーシャルメディアクーポン管理部と、前記顧客の携帯端末から送られてくるＩＤ、パスワード及び前記ランク別サービスカードに印刷されている前記２次元コードを読み取って得た読み取りデータを受信し、当該ＩＤ及びパスワードにて顧客を特定すると共に前記２次元コードの読み取りデータから当該顧客に対するランク種を特定し前記顧客情報管理部に登録する顧客ランク登録部と、前記ランク別サービスカードを受け取った客が当該ランク別サービスカードの前記２次元コードを前記顧客の携帯端末にて読み取ることにより、リンク先であるメールサーバーのサイトに接続し、前記顧客の既登録のＩＤとメールアドレスの入力欄と共に該当ランクの特典をゲットする意思確認ボタンを表示する画面を当該携帯端末に表示させるランク別特典ゲット用画面表示部と、前記顧客が前記携帯端末の前記ランクの特典をゲットする意思確認ボタンを表示する画面から前記顧客のＩＤとメールアドレスを入力し、前記意思確認ボタンをタッチした時に当該ＩＤ、メールアドレス及びランク別の特典ゲット要求を受信して前記ＩＤ、メールアドレスを確認し、真正である時に当該メールアドレスに対して暗号キーワードを送信する暗号キーワード送信部と、前記顧客が前記受信した暗号キーワードを入力して送信することにより、該当ランクの特典ゲット確認用画面を前記携帯端末に送信して表示させる特典ゲット確認用画面送信部と、前記該当ランクの特典ゲット確認用画面の中のランク別特典ゲット確認ボタンに対するタッチ操作入力により当該ランク別特典ゲットの確認信号を当該顧客のＩＤと共に受信し、該当する顧客のＩＤに対してランク別特典ゲット済みを登録するランク別特典ゲット確認部と、前記顧客ごとに登録されているＩＤ宛てに当該ＩＤのランク種に対応した内容のソーシャルメディアクーポンを前記ソーシャルメディアクーポン管理部から読み出して送信するソーシャルメディアクーポン発行部と、前記顧客ごとに前記ＩＤと対応して登録されているメールアドレス宛てに、周期的に当該ＩＤのランク種に対応した内容の来店お誘いメッセージを前記来店お誘いメッセージ記憶部から読み出して送信する来店お誘いメッセージ送信部とを備えて成る飲食店利用促進システム、及びそのシステムの行う飲食店利用促進方法、またそのシステムの実行する飲食店利用促進プログラムを特徴とする。
【００１０】
上記発明においては、前記来店お誘いメッセージは、内容が異なる複数種を用意し、最新のランク種の登録からの経過時間に応じて異なる内容の来店を促すメッセージを選択して送信するものとすることができる。
【発明の効果】
【００１１】
本発明の飲食店利用促進システム、方法及びプログラムによれば、ランク種ごとにそのランクに応じたサービスを提供することを顧客の携帯端末に送信し、顧客に来店を促すことができ、しかもランクアップによって提供されるサービスのグレードもアップすることで顧客に再来店する強い動機を与えることができ、ゆくゆくは固定客を増やすことができ、飲食店の経営安定化に資することができる。
【図面の簡単な説明】
【００１２】
【図１】本発明の１つの実施の形態の飲食店利用促進システムのシステム構成図。
【図２】上記実施の形態の飲食店利用促進システムの機能ブロック図。
【図３】上記実施の形態の飲食店利用促進システムの処理動作を示すフローチャートであって、来店パターン１の来店１回目のグリーンカード発行処理のフローチャート。
【図４】上記実施の形態の飲食店利用促進システムの処理動作を示すフローチャートであって、来店パターン２の来店１回目のグリーンカード発行処理のフローチャート。
【図５】上記実施の形態の飲食店利用促進システムで来店パターン２の来店１回目でダブル金券クーポンのうち２枚目の金券クーポンを提供する画面の説明図。
【図６】上記実施の形態の飲食店利用促進システムで来店パターン２の来店１回目でダブル金券クーポンのうち２枚目のクーポンをゲットさせるために個人情報を入力させる画面の説明図。
【図７】上記実施の形態の飲食店利用促進システムで来店パターン２の来店１回目でダブル金券クーポンのうち２枚目の金券クーポンゲットを知らせる画面の説明図。
【図８】上記実施の形態の飲食店利用促進システムの処理動作を示すフローチャートであって、バックグラウンドでソーシャルメディアであるＬＩＮＥシステムを始動させる処理のフローチャート。
【図９】上記実施の形態の飲食店利用促進システムの処理動作を示すフローチャートであって、バックグラウンドでメールシステムを始動させる処理のフローチャート。
【図１０】上記実施の形態の飲食店利用促進システムの処理動作を示すフローチャートであって、グリーンカードからシルバーカードにランクアップする手順を示すフローチャート。
【図１１】上記実施の形態の飲食店利用促進システムの処理動作を示すフローチャートであって、２回目来店時のシルバーカード発行処理のフローチャート。
【図１２】上記実施の形態の飲食店利用促進システムでソーシャルメディアクーポンとしてシルバー特典をゲットさせるためのシルバー特典優待画面の説明図。
【図１３】上記実施の形態の飲食店利用促進システムの処理動作を示すフローチャートであって、シルバーカードからゴールドカードにランクアップする手順を示すフローチャート。
【図１４】上記実施の形態の飲食店利用促進システムの処理動作を示すフローチャートであって、４回目来店時のゴールドカード発行処理のフローチャート。
【図１５】上記実施の形態の飲食店利用促進システムでソーシャルメディアクーポンとしてゴールド特典をゲットさせるためのゴールド特典優待画面の説明図。
【図１６】上記実施の形態の飲食店利用促進システムの処理動作を示すフローチャートであって、ゴールドカードからプラチナカードにランクアップする手順を示すフローチャート。
【図１７】上記実施の形態の飲食店利用促進システムの処理動作を示すフローチャートであって、６回目来店時のプラチナカード発行処理のフローチャート。
【図１８】上記実施の形態の飲食店利用促進システムでソーシャルメディアクーポンとしてプラチナ特典をゲットさせるためのプラチナ特典優待画面の説明図。
【図１９】上記実施の形態の飲食店利用促進システムの処理動作を示すフローチャートであって、プラチナカードからブラックカードにランクアップする手順を示すフローチャート。
【図２０】上記実施の形態の飲食店利用促進システムの処理動作を示すフローチャートであって、８回目来店時のブラックカード発行処理のフローチャート。
【図２１】上記実施の形態の飲食店利用促進システムでソーシャルメディアクーポンとしてブラック特典をゲットさせるためのブラック特典優待画面の説明図。
【図２２】上記実施の形態の飲食店利用促進システムによる客の再来店促進の方法を示す説明図。
【発明を実施するための形態】
【００１３】
以下、本発明の実施の形態を図に基づいて詳説する。本実施の形態の飲食店利用促進システムの動作は本発明の１つの実施の形態の飲食店利用促進方法を反映するものであり、当該システムに１つの実施の形態の飲食店利用促進プログラムをインストールして動作させることによって当該飲食店利用促進方法が実現することになる。なお、本発明では「飲食店」と称しているが、これは客の再来店時にサービスやサービス品、また店の販売商品を寛大に提供しても同じ客のさらなる来店によってサービス経費を吸収できる他業種の店であっても等しく導入できるものであり、業種を問わない。
【００１４】
図１に示すように、本実施の形態の飲食店利用促進システムは、基本的にはハードウェアとして顧客それぞれが携帯するスマートフォン、タブレット等の携帯端末１と、顧客管理サーバー２、両者の通信に介在するインターネット３、そして例えばＬＩＮＥ（ＬＩＮＥ株式会社の登録商標）サーバーのような既存のソーシャルメディアサーバー４及び各種キャリア、プロバイダ、ポータルサイトのメールサーバー５で構成される。なお、ソーシャルメディアはＬＩＮＥに限定されるものではなく、ＬＩＮＥと同様にソーシャルメディアクーポンを発行することができる他のソーシャルメディア、例えばＴｗｉｔｔｅｒ（トゥイッター  インコーポレイテッドの登録商標）、Ｆａｃｅｂｏｏｋ（フェイスブック・インコーポレイテッドの登録商標）、ＧＲＥＥ（グリー株式会社の登録商標）、ｍｏｂａｇｅ（株式会社  ディー・エヌ・エーの登録商標）等であってもよいが、本実施の形態についてはＬＩＮＥを例示して説明する。
【００１５】
当該飲食店利用促進システムの運営において恩恵を受ける加盟飲食店は、当該システムの運営には直接的には参加しないが、コンピュータ端末６を設置し、顧客情報を確認したり、自店の売上登録などに顧客管理サーバー２と通信することができる。
【００１６】
携帯端末１は上述したように顧客それぞれが携帯するスマートフォン、またハードウェアあるいはソフトウェアの通信機能を備えたタブレット型小型コンピュータであり、必要なアプリとして、少なくとも通信アプリ、ウェブブラウザアプリ、メールアプリ、２次元コード読取りアプリ、ソーシャルメディアアプリケーションとしてのＬＩＮＥアプリがインストールされている。
【００１７】
顧客管理サーバー２はコンピュータシステムであり、大容量記憶装置２００を備え、また図２に示すように文字入力のためのキーボードやマウス等の入力装置２０１、ディスプレイ等の表示装置２０２と接続されている。ソーシャルメディアサーバー４はクーポン発行サービスを提供する。そしてメールサーバー５はメール配信を管理する。一般にコンピュータシステムに本実施の形態の飲食店利用促進プログラムをインストールして動作させることによって当該飲食店利用促進システムの顧客管理サーバー２を構成することができる。
【００１８】
図２を用いて顧客管理サーバー２の機能構成について説明する。大容量記憶装置２００に登録する顧客情報を管理する顧客情報管理部２０３、ソーシャルメディアサーバー４と通信して顧客にランク別のサービスクーポンを発行し通知させ、履歴を記憶するソーシャルメディア管理部２０４、メールサーバー５と通信して顧客にランク別のサービス情報を知らせるメッセージを通知させ、履歴を記憶するメール管理部２０５、ハードウェアとしてインターネット通信のための有線、無線の通信部２０６を備えている。もちろん本顧客管理サーバー２はコンピュータシステムであるために、インストールされている本件飲食店利用促進プログラムを実行し、システムの諸機能を働かせ、演算処理を行うためにＣＰＵ、ＧＰＵ、内部メモリ、そして一般的な信号入力ポート、信号出力ポート、ＵＳＢ接続ポート、外部メモリ接続ポート、ＬＡＮポート、無線通信ポート等も備えている。
【００１９】
次に、上記構成の飲食店利用促進システムの動作について説明する。この動作は飲食店利用促進方法の１つの実施の形態であり、また当該システムに飲食店利用促進動作をさせるのはこのシステムにインストールする飲食店利用促進プログラムである。したがって、本実施の形態の飲食店利用促進システムの動作の説明は飲食店利用促進方法の説明でもあり、また飲食店利用促進プログラムの各処理ステップの説明でもある。なお、以下のフローチャートの説明において符号ＡＣＴ…は人の介在する処理を示し、符号ＳＴＥＰ…はコンピュータ処理を示している。
【００２０】
＜パターン１の登録手順＞
パターン１の顧客情報登録手順を図３のフローチャートを用いて説明する。最初に顧客にオプトイン方式でメンバー登録をしてもらう必要がある。そこでソーシャルメディアＩＤとしてのＬＩＮＥＩＤ、メールアドレス、名前あるいはニックネーム（ハンドリングネーム）を登録してもらうが、来店客に当該システムを利用させるインセンティブのために、店のテーブルに会員登録を誘引するサービス提供シール１１を貼っておき、あるいは同様の内容の案内カードをおいておく。このサービス提供シール１１にはサービス提供のための２次元コード１２が印刷してある。２次元コード１２の内容は後述するグリーンカード１３の２次元コード１４と同じものである（ＡＣＴ１−１，１−２）。
【００２１】
店員は客がこのシール１１に興味を示したところで、グリーンカード１３を進呈する。そして客がグリーンカード１３に印刷されている２次元コード１４を読み取って携帯端末１に表示されるリンクにタッチすることで（ＳＴＥＰ１−１）、ソーシャルメディアアプリとしてのＬＩＮＥアプリを起動し、ソーシャルメディアサーバー４を通じて顧客管理サーバー２に接続し、オプトイン方式にてＬＩＮＥＩＤを登録する（ＳＴＥＰ１−２，ＳＴＥＰ１−３）。そして携帯端末１に対して５００円の金券サービス画面を表示させ、客が店員にその画面を見せて「使用する」のボタンをタッチさせれば５００円のサービスが可能となる。携帯端末１の画面は「使用済み」の表示になり、重ねてサービスを受けられなくする（ＳＴＥＰ１−４）。
【００２２】
続いてＬＩＮＥトークの画面には残りの５００円金券サービスを受けるかどうかのメッセージを表示させ、客が残りの金券５００円を取得する選択をするならば、オプトイン方式で客の名前あるいはニックネームあるいはハンドリングネームとメールアドレスを登録させる（ＳＴＥＰ１−５〜ＳＴＥＰ１−８）。これにより、初来店の客に対して本飲食店利用促進システムに対してＬＩＮＥＩＤ、メールアドレスをニックネームと共に登録することができることになる。
【００２３】
この間、店員はグリーンカード１３を客に手渡すこと、客が携帯端末１の画面を見せて金券使用を表明したときに「使用」ボタンをタッチし、「使用済み」にすること、そして客が獲得したサービスを提供する作業が必要なだけであり、システム操作に直接に関与することはない。なお、客が店を出るときまでにはその客のグリーンカードに対してスタンプを２個押し、次回の来店でスタンプが満杯になり、シルバーランクにランクアップし、より進んだサービスが提供されるようになることを伝えることになる（ＡＣＴ１−３）。
【００２４】
なお、図３において破線枠で囲んだ部分のサービスは来店客に当該システムを利用させるインセンティブのためであり、店のテーブルに会員登録を誘引するサービス提供シール１１を貼っておき、あるいは同様の内容の案内カードをおいておき、このシール１１にはサービス提供のための２次元コード１２を客が携帯端末１で読み取ることにより上記のグリーンカード１３の２次元コード１４の読み取りと同様の手続ができるようにしている。したがって、客がシール１１を見て金券ゲットの手続をした場合には、グリーンカード１３は受け取るだけで何の手続をしなくとも次回の来店時に使用できることになる。
【００２５】
＜パターン２の登録手順＞
パターン１の顧客情報登録手順を図４のフローチャートを用いて説明する。来店時に顧客はオンラインコマーシャルその他の手段で特典プレゼントクーポンを取得し、オンラインコマーシャルのサイト内の特典プレゼントクーポンの画面をそのまま店員に提示する。
【００２６】
この場合、客は自身の携帯端末１にてクーポン取得画面を店員に提示するが、これに対して店員は特典プレゼントゲット用の暗号キーワードを教示する（ＡＣＴ２−１）。
【００２７】
客はこの暗号キーワードを入力すれば（ＳＴＥＰ２−１１）、ＬＩＮＥアプリで暗号キーワードをＬＩＮＥトークに送信する（ＳＴＥＰ２−１２）。これに対して顧客管理サーバー２はＬＩＮＥクーポンを発行して当該携帯端末１に対して送信する（ＳＴＥＰ２−１３）。これにより初めての来店客はＬＩＮＥクーポンで特典プレゼントを受け取ることになる（ＡＣＴ２−１１）。この特定には店の特製メニュー、例えば特製お好み焼きを進呈する等ができる。なお、この破線枠で囲んだ部分の手続は来店誘引のためのサービスであり、本実施の形態のシステムに付加されるものである。
【００２８】
客が特典プレゼントクーポン画面を提示したときに、店員はグリーンカード１３を進呈しそのサービス内容を説明する。そして客がグリーンカード１３に印刷されている２次元コード１４を読み取って携帯端末１に表示されるリンクにタッチすることで（ＳＴＥＰ２−１）、ＬＩＮＥアプリを起動し（ＳＴＥＰ２−２）、ソーシャルメディアサーバー４を通じて顧客管理サーバー２に接続し、ＬＩＮＥＩＤを登録する（ＳＴＥＰ２−３）。そして携帯端末１に対して５００円の金券サービス画面を表示させ、客が店員にその画面を見せて「使用する」のボタンをタッチさせれば５００円の金券サービスが可能となる。携帯端末１の画面は「使用済み」の表示になり、重ねてサービスを受けられなくする（ＳＴＥＰ２−４）。
【００２９】
続いて図５に示すようなＬＩＮＥトークの画面３１を携帯端末１に表示させて残りの５００円金券サービスを受けるかどうかを選択させる（ＳＴＥＰ２−５）。このトーク画面３１にて客が残りの金券５００円を取得する選択をするならば、この画面３１に表示されているＵＲＬ３２をタップして当該ＵＲＬにジャンプさせる。これに対してメールサーバー５が始動し、客の名前あるいはニックネームあるいはハンドリングネームとメールアドレスを登録させる図６に示すような登録用画面３３を携帯端末１に送信して表示させる（ＳＴＥＰ２−６）。この登録用画面３３にて客が名前あるいはニックネームあるいはハンドリングネームとメールアドレスを入力して金券ゲットボタン３４をタップすることにより（ＳＴＥＰ２−７）、メールサーバー５から図７に示す画面３５が携帯端末１に送信される（ＳＴＥＰ２−８）。携帯端末１でもう１枚の金券クーポンをゲットした客は、この画面３５を店員に提示することによって例えば２枚目の５００円分の金券を受け取り、それに見合うサービスを利用することができるようになる。これにより、初来店の客に対して本飲食店利用促進システムにオプトイン方式にてＬＩＮＥＩＤ、メールアドレスを名前、ニックネームあるいはハンドリングネームと共に登録してもらうことができることになる。
【００３０】
この来店パターン２においても、店員は特典プレゼントクーポンに対して暗号キーワードを教示すること、グリーンカード１３を客に手渡すこと、客が携帯端末１の画面を見せて金券使用を表明したときに「使用」ボタンをタッチして「使用済み」にすること、そして客が獲得したサービスを提供する作業が必要なだけであり、システム操作に直接に関与することはない。この場合も、客が店を出るときまでにはその客のグリーンカード１３に対してスタンプを２個押し、次回の来店でスタンプが満杯になり、シルバーランクにランクアップし、より進んだサービスが提供されるようになることを伝えることになる。
【００３１】
次に、図３のＳＴＥＰ１−２、図４におけるＳＴＥＰ２−２の処理について図８を用いて詳しく説明する。本システムで採用する特定のソーシャルメディアアプリケーションであるＬＩＮＥアプリケーションには各種のサービスが組み込まれている。本システムはそれらを活用して顧客の再来店を誘引する。なお、客の携帯端末１には対応するソーシャルメディアアプリとしてＬＩＮＥアプリが登録され、ＩＤ、パスワード、ニックネーム等が登録されているものとする。
【００３２】
バックグランウドでソーシャルメディアシステムであるＬＩＮＥシステムを始動させると、オプトイン方式を基本とし、顧客管理サーバー２ではＬＩＮＥアプリケーションを起動し、ＬＩＮＥ基本として来店客のＬＩＮＥＩＤ、ニックネーム、電話番号等、自動取得できる情報を当該店の友だち登録する（ＳＴＥＰ２０１）。そして客の携帯端末１のＬＩＮＥＩＤをグリーンランクのメンバーとして友だち登録する。これはＬＩＮＥステップを使用して行う（ＳＴＥＰ２０２）。
【００３３】
この友だち登録により、顧客管理サーバー２は、翌日からＬＩＮＥステップにより「各メンバーランク用」ＬＩＮＥトークのステップ型送信開始する（ＳＴＥＰ２０３）。このＬＩＮＥトーク送信の目的は、客に次回来店の動機の提供することである。そしてＬＩＮＥトークの内容はメンバーが店側に対し親近感と信頼を醸成するためのコンテンツであり、同時に次回の来店で「次のメンバーランク」へランクアップし、特典をプレゼントする旨の告知メッセージを含む。そしてＬＩＮＥトーク送信実施のタイミングは特に限定されないが、実施の形態のシステムでは次回の来店があるまで、初回登録日の翌日より１通目を送信し、その後に順次、任意に設定した期間日数を経つつ２通目、３通目、…とあらかじめ準備したＬＩＮＥトークを自動送信する。このＬＩＮＥトークの送信終了のタイミングは、次回の来店があり「シルバーランク」へランクアップされた時であり、それによって「現行メンバーランク用」ＬＩＮＥトーク、ここではグリーンランク用ＬＩＮＥトークのステップ型送信を終了する。
【００３４】
次に、図３、図４におけるＳＴＥＰ１−６，ＳＴＥＰ２−６のバックグラウンドでメールシステムを始動させ、客の携帯端末に来客誘引のメールメッセージを送信する処理について図９を用いて説明する。客が携帯端末１のＬＩＮＥアプリの残りの金券５００円ゲットの操作をすることにより、顧客管理サーバー２はＬＩＮＥアプリを活用してメールアドレスとニックネームを入力して送信する画面を表示させる。ここでもオプトイン方式を原則として、客がメールアドレス、ニックネームを入力することによってメールサーバー５に送信し客のＩＤ、メールアドレス、ニックネームを登録する（ＳＴＥＰ６０１）。ここでメールサーバー５には、例えばＭｙＡＳＰサービスを利用することができる。
【００３５】
このメールアドレスの登録により、顧客管理サーバー２は、翌日からステップメールにより「各メンバーランク用」メールのステップ型送信を開始する（ＳＴＥＰ６０２）。このメール送信の目的は、客に次回来店の動機の提供することである。そしてメールの内容は、メンバーが店側に対し親近感と信頼を醸成するためのコンテンツを含み、同時に次回の来店で「次のメンバーランク」へランクアップし、特典をプレゼントする旨の告知を含むものである。そしてメール送信実施のタイミングは、実施の形態のシステムでは次回の来店があるまで、初回登録日の翌日より１通目を送信し、その後に順次、任意に設定した期間日数を経つつ２通目、３通目、…と、あらかじめ準備した内容のメールを自動送信する。そしてメールの送信終了のタイミングは、次回の来店が実行され「次のメンバーランク」へランクアップ登録がされた時であり、それによって「現行メンバーランク用」メール、ここではグリーンランク用メールのステップ型送信を終了する。
【００３６】
＜２回目の来店＞
図１０の手続フローに示すように、客がグリーンカード１３を所持して２回目の来店をしたときには（ＡＣＴＳ０１）、店ではそのグリーンカード１３に３個目のスタンプを押し（ＡＣＴＳ０２）、ランクアップを伝えてシルバーカード１５を進呈する（ＡＣＴＳ０３）。
【００３７】
そして図１１のフローチャートに示すように、このシルバーカード１５を受け取った客がシルバーカード１５の２次元コード１６を携帯端末１にて読み取ると、リンク先であるメールサーバー５のサイトに接続され（ＳＴＥＰＳ０１）、図１２に示すようなシルバーランクの特典をゲットする画面５１を携帯端末１に表示させる（ＳＴＥＰＳ０２）。
【００３８】
客が携帯端末１の画面５１に対してニックネームとメールアドレスを入力し、暗号キーワードを入力する意思確認ボタン５２をタッチすると（ＳＴＥＰＳ０３）、これにより顧客管理サーバー２は当該客をシルバーランクに登録し、同時にメール配信システムをバックグラウンドで始動させる（ＳＴＥＰＳ０４）。そしてメールサーバー５からＬＩＮＥ暗号キーワードを送信し、携帯端末１に表示する（ＳＴＥＰＳ０５）。これに対して客が受信したＬＩＮＥ暗号キーワードを入力しＬＩＮＥトークに送信すれば（ＳＴＥＰＳ０６）、ＬＩＮＥシステムがバックグラウンドで始動し、シルバーランクの特典画面を携帯端末１に送信して表示させる（ＳＴＥＰＳ０７，ＳＴＥＰＳ０８）。そこで、客がＬＩＮＥ画面を店員に提示し、店員が「使用する」にタッチするとこのシルバー特典は「使用済み」となる（ＳＴＥＰＳ０９）。この操作の後、店員は客に対してシルバー特典を進呈し、シルバーカード１５にスタンプ１個押印する（ＡＣＴＳ０４，ＡＣＴＳ０５）。シルバーランクの特典は、例えば、各種サワーやビールを一杯無料で提供すること等である。
【００３９】
こうして客は２回目の来店でシルバーランクのメンバーとなる。このシルバーカード１５を受け取った客は、次の３回目の来店でシルバーカード１５を提示すると、２個目のスタンプを受ける。
【００４０】
＜４回目の来店＞
図１３のフローチャートに示すように、同じ客が４回目の来店してシルバーカード１５を提示した時には（ＡＣＴＧ０１）、シルバーカード１５に３個目のスタンプを受けそのスタンプ欄は満杯になり（ＡＣＴＧ０２）、店員からゴールドカード１７を受け取れる（ＡＣＴＧ０３）。これにより、図１４のフローチャートに示す所定の処理操作によってゴールド特典を受け取れることになる。
【００４１】
このゴールドカード１７を受け取った客がゴールドカード１７の２次元コード１８を携帯端末１にて読み取ると、リンク先であるメールサーバー５のサイトに接続され（ＳＴＥＰＧ０１）、図１５に示すようなゴールドランクの特典をゲットする画面６１を携帯端末１に表示させる（ＳＴＥＰＧ０２）。
【００４２】
客が携帯端末１の画面６１に対してニックネームとメールアドレスを入力し、暗号キーワードを入力する意思確認ボタン６２をタッチすると（ＳＴＥＰＧ０３）、これにより顧客管理サーバー２は当該客をゴールドランクに登録し、同時にメール配信システムをバックグラウンドで始動させる（ＳＴＥＰＧ０４）。そしてメールサーバー５からＬＩＮＥ暗号キーワードを送信し、携帯端末１に表示する（ＳＴＥＰＧ０５）。これに対して客が受信したＬＩＮＥ暗号キーワードを入力しＬＩＮＥトークに送信すれば（ＳＴＥＰＧ０６）、ＬＩＮＥシステムがバックグラウンドで始動し、ゴールドランクの特典画面を携帯端末１に送信して表示させる（ＳＴＥＰＧ０７，ＳＴＥＰＧ０８）。そこで、客がＬＩＮＥ画面を店員に提示し、店員が「使用する」にタッチするとこのゴールド特典は「使用済み」となる（ＳＴＥＰＧ０９）。この操作の後、店員は客に対してゴールド特典を進呈し、ゴールドカード１５にスタンプ１個押印する（ＡＣＴＧ０４，ＡＣＴＧ０５）。ゴールドランクへのランクアップの特典は、例えば、各種サワーやビールを一杯無料で提供すること等である。
【００４３】
続く５回目の来店時には、ゴールドカード１７のスタンプは２個目が押印される。
【００４４】
＜６回目の来店＞
同じ客が６回目に来店をしたとき、図１６、図１７のフローチャートの処理によってプラチナカードにランクアップされ、同時にプラチナ特典プレゼントを受け取れることになる。
【００４５】
図１６のフローチャートに示すように、同じ客が６回目の来店してゴールドカード１７を提示した時には（ＡＣＴＰ０１）、ゴールドカード１７に３個目のスタンプを受けそのスタンプ欄は満杯になり（ＡＣＴＰ０２）、店員からプラチナカード１９を受け取れる（ＡＣＴＰ０３）。これにより、図１７のフローチャートに示す所定の処理操作によってプラチナ特典を受け取れることになる。
【００４６】
このプラチナカード１９を受け取った客がプラチナカード１９の２次元コード２０を携帯端末１にて読み取ると、リンク先であるメールサーバー５のサイトに接続され（ＳＴＥＰＰ０１）、図１８に示すようなプラチナランクの特典をゲットする画面７１を携帯端末１に表示させる（ＳＴＥＰＰ０２）。
【００４７】
客が携帯端末１の画面７１に対してニックネームとメールアドレスを入力し、暗号キーワードを入力する意思確認ボタン7２をタッチすると（ＳＴＥＰＰ０３）、これにより顧客管理サーバー２は当該客をプラチナランクに登録し、同時にメール配信システムをバックグラウンドで始動させる（ＳＴＥＰＰ０４）。そしてメールサーバー５からＬＩＮＥ暗号キーワードを送信し、携帯端末１に表示する（ＳＴＥＰＰ０５）。これに対して客が受信したＬＩＮＥ暗号キーワードを入力しＬＩＮＥトークに送信すれば（ＳＴＥＰＰ０６）、ＬＩＮＥシステムがバックグラウンドで始動し、プラチナランクの特典画面を携帯端末１に送信して表示させる（ＳＴＥＰＰ０７，ＳＴＥＰＰ０８）。そこで、客がＬＩＮＥ画面を店員に提示し、店員が「使用する」にタッチするとこのプラチナ特典は「使用済み」となる（ＳＴＥＰＰ０９）。この操作の後、店員は客に対してプラチナ特典を進呈し、プラチナカード１9にスタンプ１個押印する（ＡＣＴＰ０４，ＡＣＴＰ０５）。プラチナランクへのランクアップの特典は、例えば、各種サワーやビールを一杯無料で提供すること等である。
【００４８】
この６回目の来店時でプラチナカード１９へランクアップしてプラチナ特典プレゼントとなり、同時にプラチナカードのスタンプは１個押印済みとなる。
【００４９】
次回、７回目の来店時には、プラチナカード１９のスタンプは２個目の押印となる。そして次々回、８回目の来店時にプラチナカード１９の残り１個に押印し、スタンプ欄は３個満杯となる。そこで８回目の来店時には即時にブラックカード２１へランクアップしブラック特典プレゼントとなる。
【００５０】
＜８回目の来店＞
同じ客が８回目に来店をしたとき、図１９、図２０のフローチャートの処理によってブラックカードにランクアップされ、同時にブラック特典プレゼントを受け取れることになる。
【００５１】
図１９のフローチャートに示すように、同じ客が８回目に来店してプラチナカード１９を提示した時には（ＡＣＴＢ０１）、プラチナカード１９に３個目のスタンプを受けそのスタンプ欄は満杯になり（ＡＣＴＢ０２）、店員からブラックカード２１を受け取れる（ＡＣＴＢ０３）。これにより、図２０のフローチャートに示す所定の処理操作によってブラック特典を受け取れることになる。
【００５２】
このブラックカード２１を受け取った客がブラックカード２１の２次元コード２２を携帯端末１にて読み取ると、リンク先であるメールサーバー５のサイトに接続され（ＳＴＥＰＢ０１）、図２１に示すようなブラックランクの特典をゲットする画面８１を携帯端末１に表示させる（ＳＴＥＰＢ０２）。
【００５３】
客が携帯端末１の画面８１に対してニックネームとメールアドレスを入力し、暗号キーワードを入力する意思確認ボタン８２をタッチすると（ＳＴＥＰＢ０３）、これにより顧客管理サーバー２は当該客をブラックランクに登録し、同時にメール配信システムをバックグラウンドで始動させる（ＳＴＥＰＢ０４）。そしてメールサーバー５からＬＩＮＥ暗号キーワードを送信し、携帯端末１に表示する（ＳＴＥＰＢ０５）。これに対して客が受信したＬＩＮＥ暗号キーワードを入力しＬＩＮＥトークに送信すれば（ＳＴＥＰＢ０６）、ＬＩＮＥシステムがバックグラウンドで始動し、ブラックランクの特典画面を携帯端末１に送信して表示させる（ＳＴＥＰＢ０７，ＳＴＥＰＢ０８）。そこで、客がＬＩＮＥ画面を店員に提示し、店員が「使用する」にタッチするとこのブラック特典は「使用済み」となる（ＳＴＥＰＢ０９）。この操作の後、店員は客に対してブラック特典を進呈する（ＡＣＴＢ０４）。ブラックランクへのランクアップの特典は大きくし、例えば、通常価格でキングサイズのステーキをサービスする等である。なお、このブラックカード２１にはスタンプ欄は設けず、その提示の都度に何らかのサービスを提供し、客の再来店のインセンティブをつなぎとめる。ブラックランクは一年更新になる。
【００５４】
以上の飲食店来店促進システム、方法及びプログラムの実施の形態では、図２２に示すようにサービス特典をプレゼントしつつ再来店を誘引することができる。この来店サービス提供の手順をまとめれば次の通りである。
【００５５】
（Ａ）パターン１の来店でも、パターン２の来店でも、グリーンカード１３を受け取った時点で、スタンプは２個押印済みとなる。そして次の来店でグリーンカード１３のスタンプ欄の残り１個に押印してスタンプ欄は満杯となり、同時にシルバーカード１５へランクアップしシルバー特典プレゼントとなる。
【００５６】
（Ｂ）この２回目来店で、グリーンカード１３のスタンプ欄は３個全て押印済みとなり、同時に、シルバーカード１５へランクアップしてシルバー特典プレゼントとなる。また同時に、シルバーカード１５のスタンプ欄は１個押印済みとなる。
【００５７】
（Ｃ）３回目来店時で、シルバーカード１５のスタンプ欄は２個目の押印となる。
【００５８】
（Ｄ）４回目来店時で、シルバーカード１５のスタンプ欄は３個全て押印済みとなり、同時に、ゴールドカード１７へランクアップしゴールド特典プレゼントとなる。また同時に、ゴールドカード１７のスタンプ欄は１個押印済みとなる。
【００５９】
（Ｅ）５回目来店時で、ゴールドカード１７のスタンプは２個目の押印となる。
【００６０】
（Ｆ）６回目の来店でゴールドカード１７のスタンプ欄の残り１個に押印しスタンプ欄は３個満杯となる。これと同時にプラチナカード１９へランクアップしプラチナ特典プレゼントとなる。また同時に、プラチナカード１９のスタンプ欄は１個押印済みとなる。
【００６１】
（Ｇ）７回目来店時で、プラチナカード１９のスタンプ欄は２個目の押印となる。
【００６２】
（Ｈ）８回目の来店でプラチナカード１９のスタンプ欄の残り１個に押印しスタンプ欄は３個満杯となる。これと同時にブラックカード２１へランクアップしブラック特典プレゼントとなる。
【００６３】
（Ｉ）ブラックカード２１のブラックメンバーは、１年毎の更新となる。このブラックメンバーは、毎回来店時毎にブラック特典プレゼントを受け取ることができる。
【００６４】
以上のように本実施の形態の飲食店利用促進システム、これを実行する飲食店利用促進プログラム及び飲食店利用促進方法によれば、電子的なクーポン発行によって客の来店を効果的に誘引して固定客の増加に繋げることができる。しかもそのためには実質的に顧客管理サーバー２側の運営だけで上記目的を達成することができ、通常労力負担をかけがちな店の店員に対してシステムへのアクセスを要求せず、紙やプラスチックのランクカードの受け渡しとスタンプ押印作業だけであり、大きな労力負担を増加させず、システム運営を低廉に抑えることができる。
【００６５】
なお、本発明は上記実施の形態に限定されることはなく、ランクの種類を少なくしたり多くしたりすることが可能であり、ランク名も赤、青、黄等にすることも、また花の名や名将の名にしたりすることもでき、限定されない。またランク別の特典プレゼントの内容も特に限定されることはない、運営する飲食店の特色に応じて調整することができる。さらに、ランクアップの条件も再来店回数を増減することも可能である。
【００６６】
さらに本実施の形態ではＬＩＮＥアプリとメールアプリを併用したが、ＬＩＮＥアプリだけに限定されず、さらにはクーポンを発行することができる他のソーシャルメディアサービス、例えばＴｗｉｔｔｅｒ、Ｆａｃｅｂｏｏｋ、ＧＲＥＥ、ｍｏｂａｇｅ等を採用することもできる。さらには顧客管理サーバー２側には上記のような複数種のソーシャルメディアアプリケーションを同時にインストールしておき、顧客の携帯端末ごとにインストールされているソーシャルメディアアプリに応じてそのソーシャルメディアベースで上記の来店促進サービスを提供する構成にすることもできる。
【符号の説明】
【００６７】
１  スマートフォン
２  顧客管理サーバー
３  インターネット
４  ソーシャルメディアサーバー
５  メールサーバー
６  店舗設置パソコン
１３  グリーンカード
１５  シルバーカード
１７  ゴールドカード
１９  プラチナカード
２１  ブラックカード
２００  大容量記憶装置
２０１  入力装置
２０２  表示装置
２０３  顧客情報管理部
２０４  ソーシャルメディア管理部
２０５  メール管理部
２０６  通信部
【要約】
【課題】客に来店回数に応じてランクアップするランク別カードを渡し、来店回数を増やせばより大きなサービスが受けられるという再来店動機も誘い、固定客を増やす。
【解決手段】本発明は、ランク別の来店カード１３，１５，１７，１９，２１を来店客にその来店回数に応じて手渡し、ランク別にそのランクに応じたサービスを提供するという情報やクーポンを顧客の携帯端末１に送信して顧客に来店を促し、しかもランクアップによって提供されるサービスのグレードもアップすることで顧客に再来店する強い動機を与え、しいては固定客を増やし、飲食店の経営安定化に資する飲食店利用促進システム、方法及びプログラムを特徴とする。
【選択図】    図２【図１】
0006759432.tif 000002
【図２】
0006759432.tif 000003
【図３】
0006759432.tif 000004
【図４】
0006759432.tif 000005
【図５】
0006759432.tif 000006
【図６】
0006759432.tif 000007
【図７】
0006759432.tif 000008
【図８】
0006759432.tif 000009
【図９】
0006759432.tif 000010
【図１０】
0006759432.tif 000011
【図１１】
0006759432.tif 000012
【図１２】
0006759432.tif 000013
【図１３】
0006759432.tif 000014
【図１４】
0006759432.tif 000015
【図１５】
0006759432.tif 000016
【図１６】
0006759432.tif 000017
【図１７】
0006759432.tif 000018
【図１８】
0006759432.tif 000019
【図１９】
0006759432.tif 000020
【図２０】
0006759432.tif 000021
【図２１】
0006759432.tif 000022
【図２２】
0006759432.tif 000023